(57)【要約】【課題】  表示すべき主情報の変更に応じて補助情報の表示を容易に変更することが出来、然も製造コストの安価な表示装置を提供する。【解決手段】  本発明に係る表示装置においては、筐体１に、入力信号に応じた主情報を表示するための第１透明窓３が設置されると共に、前記主情報に付加すべき補助情報を表示するための第２透明窓４が設置され、該第２透明窓４の表面には、前記補助情報が表記された光透過性の補助表示用ラベル５が貼り付けられている。又、筐体１の内部には、第１透明窓３と対向して、主情報をデジタル表示するための７セグメントＬＥＤからなる表示器21が設置されると共に、第２透明窓４に対向して、補助表示用ラベル５を照明するためのＬＥＤ22が設置されている。【選択図】      図２
2006308643.tif 000002
【特許請求の範囲】
【請求項１】
筐体の表面に、入力信号に応じた主情報を表示するための主表示窓部と、前記主情報に付加されるべき一定の補助情報を表示する補助表示窓部とが設けられると共に、該筐体の内部には、前記主表示窓部に主情報を表示するための表示器が配備されている表示装置において、前記補助表示窓部は、前記補助情報が表記された情報表記部を有し、少なくとも該情報表記部の交換が可能であって、筐体の内部には、該補助表示窓部を背面から照明するための光源が設置されていることを特徴とする表示装置。
【請求項２】
前記補助表示窓部は、前記筐体(１)の壁面の一部を構成する透明窓(４)と、該透明窓(４)の表面に貼り付けられた光透過性の補助表示用ラベル(５)とから構成され、該補助表示用ラベル(５)に前記補助情報が表記され、補助表示用ラベル(５)の交換が可能である請求項１に記載の表示装置。
【請求項３】
前記主表示窓部は、前記筐体(１)の壁面の一部を構成する透明窓(３)によって構成され、該透明窓(３)と対向して前記表示器が配備され、該表示器は、１或いは複数のセグメントからなる表示素子を直線上若しくは曲線上に配列して構成され、前記透明窓(３)を透して該表示器の表示を視認することが可能である請求項１又は請求項２に記載の表示装置。
【請求項４】
前記主表示窓部に表示される主情報はデジタル情報であり、前記補助表示窓部に表示される捕助情報は、該デジタル情報に付加すべき単位情報である請求項１乃至請求項３の何れかに記載の表示装置。
【請求項５】
前記主情報の大きさが所定の閾値を越えた時点で前記光源を点灯状態から点滅状態に変化させる請求項１乃至請求項４の何れかに記載の表示装置。
【発明の詳細な説明】
【技術分野】
【０００１】
本発明は、入力信号に応じて数値等の情報を表示する表示装置に関するものである。
【背景技術】
【０００２】
従来、この種の表示装置(例えば、特許文献１〜３参照)においては、図４に示す如く、筐体(10)の内部に、温度、流量、速度等の各種数値をデジタル表示するための７セグメントＬＥＤ(8a)(8b)(8c)(8d)からなるデジタル表示部(８)が設置され、該デジタル表示部(８)の表示を透明窓(７)を透して視認することが出来る様になっている。
該デジタル表示部(８)の側部には、デジタル表示部(８)に表示される数値に付加すべき「℃」等の単位情報を表示する補助表示部(９)が設けられている。尚、補助表示部(９)の情報は、例えば筐体(10)の表面に予め印刷等によって表記されている。
【０００３】
しかしながら、図４に示す表示装置においては、デジタル表示部(８)の表示は、暗所においてもＬＥＤの発光によって容易に視認することが出来るが、補助表示部(９)は、照明手段を有しないため、暗所における視認が困難である。
【０００４】
そこで、図５に示す如く、デジタル表示部(80)として、各種数値をデジタル表示するための複数個の７セグメントＬＥＤ(8a)(8b)(8c)(8d)に加えて、単位情報を表わす記号セグメントＬＥＤ(8e)を設置し、ＬＥＤの発光によって単位情報の視認性を向上させた表示装置が知られている。
【特許文献１】特開平９−４９７２３号公報
【特許文献２】特開２０００−７５８１０号公報
【特許文献３】特開２０００−２０５８５２号公報
【発明の開示】
【発明が解決しようとする課題】
【０００５】
ところが、図５に示す表示装置においては、記号セグメントＬＥＤ(8e)の追加によってデジタル表示部(80)を構成するＬＥＤの個数が増加し、製造コストの増大を招くばかりでなく、記号セグメントＬＥＤ(8e)は、７セグメントＬＥＤ(8a)〜(8d)によって表示される数値(主情報)の内容に対応する専用品となるため、その用途が例えば温度表示から流量表示に変更された場合、最早その表示装置は使用することが出来なくなる問題があった。
【０００６】
そこで本発明の目的は、表示すべき主情報の変更に応じて補助情報の表示を容易に変更することが出来、然も製造コストの安価な表示装置を提供することである。
【課題を解決するための手段】
【０００７】
本発明に係る表示装置においては、筐体の表面に、入力信号に応じた主情報を表示するための主表示窓部と、前記主情報に付加されるべき一定の補助情報を表示する補助表示窓部とが設けられると共に、該筐体の内部には、前記主表示窓部に主情報を表示するための表示器が配備されている。
ここで、前記補助表示窓部は、前記補助情報が表記された情報表記部を有し、少なくとも該情報表記部の交換が可能であって、筐体の内部には、該補助表示窓部を背面から照明するための光源が設置されている。
【０００８】
上記本発明の表示装置においては、入力信号の入力に応じて表示器が動作し、入力信号の大きさに応じた主情報(例えば温度、流量、速度等の数値や、観測対象の状態を表わす英文字など)が主表示窓部に表示される。
又、前記光源から出射された光が補助表示窓部に入射して、該補助表示窓部が背面から照明され、前記主表示窓部に表示されている主情報に付加されるべき補助情報(例えば「℃」等の単位情報)が補助表示窓部に表示される。
ここで、補助表示窓部は背面から照明されているので、暗所においても補助情報の視認性は良好なものとなる。
【０００９】
主表示窓部に表示すべき主情報の内容に変更があった場合には、補助表示窓部の少なくとも情報表記部を、新たな主情報に付加すべき補助情報が表記された情報表記部と交換する。この様にして、主表示窓部に表示される主情報の内容に合わせて、補助情報の表示を極めて容易に変更することが出来る。
【００１０】
具体的構成において、前記補助表示窓部は、前記筐体(１)の壁面の一部を構成する透明窓(４)と、該透明窓(４)の表面に貼り付けられた光透過性の補助表示用ラベル(５)とから構成され、該補助表示用ラベル(５)に前記補助情報が表記され、補助表示用ラベル(５)の交換が可能である。
該具体的構成によれば、透明窓(４)を筐体(１)に取り付けたまま、補助表示用ラベル(５)のみを交換することによって、補助情報の表示を容易且つ安価に変更することが出来る。
【００１１】
他の具体的構成において、前記主表示窓部は、前記筐体(１)の壁面の一部を構成する透明窓(３)によって構成され、該透明窓(３)と対向して前記表示器が配備され、該表示器は、１或いは複数のセグメントからなる表示素子を直線上若しくは曲線上に配列して構成され、前記透明窓(３)を透して該表示器の表示を視認することが可能である。
【００１２】
更に具体的な構成において、前記主表示窓部に表示される主情報は、温度、流量、速度等のデジタル情報であり、前記補助表示窓部に表示される捕助情報は、前記デジタル情報に付加すべき「℃」「ｍ３／ｈ」「ｋｍ／ｈ」等の単位情報である。
【発明の効果】
【００１３】
本発明に係る表示装置によれば、補助表示窓部を照明する光源として単なる発光素子を配備すればよいので、補助表示のために複数のセグメント素子を配備する必要があった従来装置に比べて、製造コストが安価となる。
又、表示すべき主情報の内容に変更があった場合は、補助表示窓部の少なくとも情報表記部を交換することによって補助情報の表示を変更することが出来、その際に光源の交換は不要であるので、補助情報の表示の変更はユーザサイドでも容易に行なうことが出来る。
【発明を実施するための最良の形態】
【００１４】
以下、本発明の実施形態につき、図面に沿って具体的に説明する。
本発明に係る表示装置は、入力信号に応じてその入力信号の大きさを表わす主情報をデジタル表示するものであって、図１に示す如く円筒型の筐体(１)を具え、該筐体(１)の前面壁には、それぞれガラス製の第１透明窓(３)と第２透明窓(４)とが配備されている。
第１透明窓(３)は、温度等の主情報をデジタル表示するための表示窓である。第２透明窓(４)の表面には、前記主情報に付加されるべき一定の補助情報、具体的には「℃」等の単位情報が表記された光透過性の補助表示用ラベル(５)が貼り付けられている。
【００１５】
筐体(１)の内部には、図２に示す如く回路基板(２)が配備されると共に、該回路基板(２)上には、第１透明窓(３)と対向する位置に、温度等の主情報を複数桁の数値でデジタル表示するためのＬＥＤ表示器(21)が設置されている。
該ＬＥＤ表示器(21)は、図１に示す如く、複数の７セグメントＬＥＤ(6a)(6b)(6c)(6d)からなるデジタル表示部(６)を有し、該デジタル表示部(６)の表示を第１透明窓(３)から視認することが出来る様になっている。
【００１６】
又、回路基板(２)上には、図２に示す如く、第２透明窓(４)と対向する位置に、第２透明窓(４)及び補助表示用ラベル(５)を照明するための照明用ＬＥＤ(22)が、第２透明窓(４)に向けて設置されると共に、筐体(１)の前面壁には、第２透明窓(４)を包囲する筒状の遮光壁(11)が、照明用ＬＥＤ(22)に向けて突設されている。
更に、回路基板(２)上には、ＬＥＤ表示器(21)や照明用ＬＥＤ(22)を動作させるための複数の回路チップ(23)が実装されている。
【００１７】
前記複数の回路チップ(23)によって形成される電気回路の構成を図３に示す。
図示の如く、計測制御系から送られてくる入力信号が入力されるべき入力端子(13)が、入力回路(25)、Ａ／Ｄ変換回路(26)、ＣＰＵ(27)及びデコーダ(28)を介して、ＬＥＤ表示器(21)に接続されている。又、電力が供給されるべき電源端子(14)が、電源回路(29)及び制御回路(30)を介して照明用ＬＥＤ(22)に接続されると共に、他の回路へも繋がっている。
【００１８】
入力端子(13)に入力されたアナログの入力信号は、入力回路(25)からＡ／Ｄ変換回路(26)へ供給されることによってデジタル信号に変換され、更にデコーダ(28)を経てＬＥＤ表示器(21)に供給されることによって、ＬＥＤ表示器(21)を構成する前記７セグメントＬＥＤ(6a)(6b)(6c)(6d)が点灯制御される。又、電源端子(14)に供給された電力が、電源回路(29)及び制御回路(30)を経て照明用ＬＥＤ(22)へ供給されることにより、照明用ＬＥＤ(22)が点灯して、前記第２透明窓(４)及び補助表示用ラベル(５)の照明が行なわれる。
【００１９】
ここで、図２の如く筐体(１)には、照明用ＬＥＤ(22)から第２透明窓(４)へ至る光路を包囲して、遮光壁(11)が形成されているので、照明用ＬＥＤ(22)から出射された光は、ＬＥＤ表示器(21)側に殆ど漏れることなく、第２透明窓(４)に入射することになる。従って、照明用ＬＥＤ(22)からの光の漏れによってＬＥＤ表示器(21)の表示が妨害されることはない。
【００２０】
この様にして、第２透明窓(４)に貼り付けられた補助表示用ラベル(５)が、照明用ＬＥＤ(22)からの光によって照明されるので、該補助表示用ラベル(５)に表記された補助情報は、鮮明に表示されることとなり、暗所における視認性が良好なものとなる。
ここで、補助表示用ラベル(５)を照明するための光源として、単に照明機能を有する１個のＬＥＤ(22)を配備すればよいので、補助表示のために複数のセグメントＬＥＤを配備する必要があった従来装置に比べて、製造コストが安価となる。
【００２１】
デジタル表示部(６)に表示すべき主情報が、例えば温度から流量に変更された場合は、温度の単位である「℃」が表記された補助表示用ラベル(５)を剥がし、流量の単位である「ｍ３／ｈ」が表記された新たな補助表示用ラベル(５)を第２透明窓(４)の表面に貼り付ける。これによって、デジタル表示部(６)に表示される流量データにその単位情報「ｍ３／ｈ」が付加されて表示されることになる。
ここで、第２透明窓(４)や照明用ＬＥＤ(22)は交換する必要がなく、補助表示用ラベル(５)のみを貼り替えればよい。
【００２２】
従って、メーカサイドでは、温度、流量、速度等の種々の主情報を表示する機能を有する標準タイプの表示装置本体と、「℃」「ｍ３／ｈ」「ｋｍ／ｈ」等の種々の単位情報が表記された複数種類の補助表示用ラベル(５)とを用意しておくことにより、ユーザからの多種多様の注文に迅速に対応することが出来る。
又、補助表示用ラベル(５)の貼り替えは、ユーザサイドでも容易に行なうことが出来る。
【００２３】
尚、本発明の各部構成は上記実施の形態に限らず、特許請求の範囲に記載の技術的範囲内で種々の変形が可能である。例えば、上記実施例においては、第２透明窓(４)と補助表示用ラベル(５)とによって補助表示窓部を構成しているが、第２透明窓(４)自体に補助情報を印刷などにより表記して、第２透明窓(４)の交換によって補助情報の表示を変更する構成を採用することも可能である。
【００２４】
又、上記実施例では、デジタル表示部(６)を複数の７セグメントＬＥＤ(6a)(6b)(6c)(6d)によって構成し、数値を表示しているが、これに限らず、観測対象の状態を表わす英文字や記号を可変表示する構成や、多数の単一セグメントＬＥＤを直線上若しくは曲線上に配列し、入力データの大きさに応じた個数のＬＥＤを点灯させることにより、入力データの大きさをバーグラフとして表示する構成を採用することも可能である。
【００２５】
又、補助表示窓部に表示すべき補助情報は、単位情報に限らず、観察対象機器の名称やタグナンバー等を表わす情報であってもよい。
更に、上記実施例では、照明用ＬＥＤ(22)を常時点灯させているが、ＣＰＵ(27)からの指令の下、制御回路(30)により、例えば主情報の数値が所定の閾値を越えた時点で照明用ＬＥＤ(22)を点灯状態から点滅状態に変化させる構成等を採用することも可能である。
【００２６】
更に又、第１透明窓(３)と第２透明窓(４)を１枚のガラス板により構成して主表示窓部と補助表示窓部とを一体化した構造や、遮光壁(11)を省略した構造の採用も可能である。
【図面の簡単な説明】
【００２７】
【図１】本発明に係る表示装置の外観を示す斜視図である。
【図２】該表示装置の断面図である。
【図３】該表示装置の電気的構成を示すブロック図である。
【図４】従来の表示装置の外観を示す斜視図である。
【図５】従来の他の表示装置の外観を示す斜視図である。
【符号の説明】
【００２８】
(１)  筐体
(11)  遮光壁
(２)  回路基板
(21)  ＬＥＤ表示器
(22)  照明用ＬＥＤ
(３)  第１透明窓
(４)  第２透明窓
(５)  補助表示用ラベル
(６)  デジタル表示部
(6a)〜(6d)  ７セグメントＬＥＤ
【図１】
2006308643.tif 000003
【図２】
2006308643.tif 000004
【図３】
2006308643.tif 000005
【図４】
2006308643.tif 000006
【図５】
2006308643.tif 000007